(57)【要約】      （修正有）【課題】貯蔵室内における貯蔵物の貯蔵状態に応じて透湿部の透湿性能を調整することができ、貯蔵室内の貯蔵物を結露させることなく良好に保存することができる冷蔵庫を提供する。【解決手段】貯蔵室と、前記貯蔵室内に設けられる透湿部と、前記透湿部の透湿性能を調整する透湿性能調整手段と、を備える冷蔵庫において、透湿シートユニット３０の本体部３１の上下の両面には、ガラリ構造部３３を設け、ガラリ構造部３３は、本体部３１の長手方向に延びる、いわゆるガラリ形状の複数の孔を有しており、これにより、透湿シートユニット３０は、その上面側から下面側に、および、下面側から上面側に向かって通気可能な構成となっている。このガラリ構造部３３は、透湿シート３２の透湿性能を調整する透湿性能調整手段の一例として機能することを特徴とする。【選択図】図３
2018136039.tif 000002
【特許請求の範囲】
【請求項１】
貯蔵室と、
前記貯蔵室内に設けられる透湿部と、
前記透湿部の透湿性能を調整する透湿性能調整手段と、
を備える冷蔵庫。
【請求項２】
冷気が流れる冷気経路と、
前記冷気経路に設けられるダンパと、
前記ダンパの開閉を制御することにより前記貯蔵室内の湿度を調整する湿度調整手段と、
をさらに備える請求項１に記載の冷蔵庫。
【請求項３】
前記湿度調整手段は、前記貯蔵室内の湿度が所定値よりも高い場合に前記ダンパを開く請求項２に記載の冷蔵庫。
【請求項４】
前記湿度調整手段は、前記貯蔵室内の貯蔵物からの水分蒸散量が所定値よりも高くなる条件が満たされている場合に前記ダンパを開く請求項２または３に記載の冷蔵庫。
【請求項５】
前記湿度調整手段は、前記貯蔵室内の温度が所定値よりも高い場合に前記ダンパを開く請求項２から４の何れか１項に記載の冷蔵庫。
【請求項６】
前記湿度調整手段は、前記貯蔵室内の貯蔵物量が所定量よりも多い場合に前記ダンパを開く請求項２から５の何れか１項に記載の冷蔵庫。
【請求項７】
前記湿度調整手段は、前記貯蔵室の扉が閉じられてから所定時間が経過するまで前記ダンパを開く請求項２から６の何れか１項に記載の冷蔵庫。
【請求項８】
前記貯蔵室内を温めるヒータと、
前記ヒータの出力を調整するヒータ出力調整手段と、さらに備え、
前記ヒータ出力調整手段は、前記湿度調整手段により前記ダンパが閉じられた場合に前記ヒータの出力を下げる制御を行う請求項２から７の何れか１項に記載の冷蔵庫。
【請求項９】
前記透湿性能調整手段は、前記透湿部に設けられている請求項１から８の何れか１項に記載の冷蔵庫。
【請求項１０】
前記透湿性能調整手段は、前記透湿部に設けられているスライド式のシャッター構造を有する請求項９に記載の冷蔵庫。
【請求項１１】
前記透湿性能調整手段は、前記透湿部に設けられている回動式のブラインド構造を有する請求項９または１０に記載の冷蔵庫。
【発明の詳細な説明】
【技術分野】
【０００１】
本実施形態は、冷蔵庫に関する。
【背景技術】
【０００２】
冷蔵庫においては、例えば野菜室内に貯蔵されている野菜などの貯蔵物を結露させず良好に保存するための種々の技術が考えられている。例えば特許文献１に開示されている冷蔵庫は、野菜室の容器内の湿度を一定に維持するために、当該容器に透湿膜を備えている。この構成によれば、容器内の湿度が高くなると、その湿気が透湿膜を介して容器外に透過するため、容器内の湿度を一定に維持することができ、容器内の野菜を結露させることなく良好に保存することができる。
【先行技術文献】
【特許文献】
【０００３】
【特許文献１】特開２０１５−１２４９６４号公報
【発明の概要】
【発明が解決しようとする課題】
【０００４】
しかしながら、貯蔵室内における貯蔵物の貯蔵状態は、例えば、貯蔵室内の温度、貯蔵室の容量、貯蔵物の貯蔵量、貯蔵物の種類などに応じて大きく変化し、また、その貯蔵状態に応じて貯蔵室内の湿度も大きく変化する。即ち、例えば、貯蔵室内の温度が高いほど貯蔵物からの水分蒸散量が高くなって貯蔵室内の湿度が高くなりやすく、また、貯蔵室内の貯蔵物の量が多いほど貯蔵物からの水分蒸散量が高くなって貯蔵室内の湿度が高くなりやすく、また、水分を蒸散しやすい貯蔵物が貯蔵されている場合には貯蔵室内の湿度が高くなりやすい。
【０００５】
そのため、このように貯蔵状態に応じて貯蔵室内の湿度が大きく変化するにもかかわらず、この点を考慮せずに単一種類の透湿部を貯蔵室内に設けたのでは、その透湿部の透湿性能が不十分となる場合があり、この場合、貯蔵室内の湿度が高くなって貯蔵物が結露してしまうおそれがある。
【０００６】
本実施形態は、貯蔵室内における貯蔵物の貯蔵状態に応じて透湿部の透湿性能を調整することができ、貯蔵室内の貯蔵物を結露させることなく良好に保存することができる冷蔵庫を提供する。
【課題を解決するための手段】
【０００７】
本実施形態に係る冷蔵庫は、貯蔵室、透湿部、透湿性能調整手段を備える。透湿部は、前記貯蔵室内に設けられている。透湿性能調整手段は、前記透湿部の透湿性能を調整する。
【図面の簡単な説明】
【０００８】
【図１】本実施形態に係る冷蔵庫の要部の構成例を断面により概略的に示す縦断側面図
【図２】透湿シートユニットの構成例を概略的に示す斜視図
【図３】透湿シートユニットの構成例を概略的に示す縦断側面図
【図４】貯蔵物からの水分蒸散量と透湿シートの透湿性能との関係例を示す図
【図５】冷蔵庫の制御系の構成例を概略的に示すブロック図（その１）
【図６】冷蔵庫の制御系の構成例を概略的に示すブロック図（その２）
【図７】冷蔵庫の制御系の構成例を概略的に示すブロック図（その３）
【図８】貯蔵物からの水分蒸散量と保存期間との関係例を示す図
【図９】冷蔵庫の制御系の構成例を概略的に示すブロック図（その４）
【図１０】冷蔵庫の制御系の構成例を概略的に示すブロック図（その５）
【図１１】透湿性能を調整するための構成の変形例を概略的に示す縦断側面図（その１）
【図１２】透湿性能を調整するための構成の変形例を概略的に示す縦断側面図（その２）
【発明を実施するための形態】
【０００９】
以下、冷蔵庫に係る一実施形態について図面を参照しながら説明する。図１に例示する冷蔵庫１０は、その外郭を構成する断熱箱体１１の内部に、何れも貯蔵室の一例である冷蔵室１２、野菜室１３、冷凍室１４を備えている。冷蔵室１２、野菜室１３、冷凍室１４は、相互に上下に隣接した状態で区分されている。冷蔵庫１０は、図示しない周知の冷凍サイクルを備えており、この冷凍サイクルにより生成される冷気が、図示しないファンによる送風作用により各貯蔵室内に供給されるようになっている。また、この場合、野菜室１３と冷凍室１４との間を仕切る仕切り部１１ａには、野菜室１３内の空気の温度を温めるためのヒータ１１ｂが埋め込まれている。
【００１０】
野菜室１３内には、当該野菜室１３内に冷気を供給する冷気供給口１５が設けられている。冷気供給口１５は、冷気経路の一部を構成するものであり、この場合、野菜室１３の後壁部の上部に設けられている。また、冷気供給口１５には、ダンパ１６が設けられている。ダンパ１６は、回動可能に設けられており、その回動量が調整されることにより、冷気供給口１５の開度が制御されるようになっている。ダンパ１６による冷気供給口１５の開度が大きくなるほど野菜室１３内に供給される冷気の量は多くなり、逆に、ダンパ１６による冷気供給口１５の開度が小さくなるほど野菜室１３内に供給される冷気の量は少なくなる。
【００１１】
また、野菜室１３の内部には、野菜ケース１７が設けられている。野菜ケース１７は、野菜室１３を開閉する引き出し式の野菜室扉１８の裏面に固定されており、これにより、野菜ケース１７は、野菜室扉１８の開閉に伴い野菜室１３から出し入れされるようになっている。野菜ケース１７は、メインケース部１９およびサブケース部２０を備えている。
【００１２】
メインケース部１９は、野菜ケース１７の本体部を構成するものであり、野菜室扉１８の裏面に固定されている。メインケース部１９の内部には仕切り板２１が設けられており、これにより、メインケース部１９の内部は前後に並ぶ２つの空間に仕切られている。
【００１３】
一方、サブケース部２０は、メインケース部１９よりも薄底のケースであり、メインケース部１９の上部に載置されている。サブケース部２０は、メインケース部１９に対し、着脱可能かつ前後に移動可能に取り付けられている。また、サブケース部２０は、その前後方向の寸法がメインケース部１９の前後方向の寸法よりも小さくなっている。これにより、メインケース部１９の上部にサブケース部２０が載置された状態において、メインケース部１９の後部には、サブケース部２０により塞がれない開放部２２が形成される。
【００１４】
そして、野菜ケース１７は、この開放部２２に、透湿シートユニット３０を備えている。次に、この透湿シートユニット３０の構成例について説明する。図２に例示するように透湿シートユニット３０は、長尺な矩形薄板状の本体部３１を有している。本体部３１の後部は、野菜ケース１７のメインケース部１９の後部の形状に合わせた形状となっており、この場合、後部の両端部に傾斜面３１ａを有している。
【００１５】
透湿シートユニット３０は、本体部３１の長手方向の両端部が開放部２２の左右方向の両端部に掛けられることにより、野菜ケース１７の後部上方において開放部２２を塞ぐようにして着脱可能に取り付けられる。なお、透湿シートユニット３０は、開放部２２に対し、本体部３１を、例えばねじ止めにより固定するように構成してもよいし、爪部などにより引っ掛ける構成としてもよい。また、透湿シートユニット３０は、開放部２２に対し、単に本体部３１を載置する構成としてもよい。
【００１６】
図３に例示するように、本体部３１は、上ケース部３１ａおよび下ケース部３１ｂにより構成されている。下ケース部３１ｂは、長尺な矩形薄板状の容器となっており、上面が開放している。上ケース部３１ａは、下ケース部３１ｂよりも若干大きい長尺な矩形薄板状の蓋となっており、下面が開放している。上ケース部３１ａは、下ケース部３１ｂに対し着脱可能となっており、下ケース部３１ｂの開放面を上方から塞ぐように取り付けられている。上ケース部３１ａと下ケース部３１ｂとが組み合わされた状態つまり本体部３１が形成された状態では、この本体部３１の内部に空間が形成される。そして、この空間内には、透湿部の一例である透湿シート３２が収容されている。
【００１７】
透湿シート３２は、この場合、少なくとも２層構造となっており、一方の層３２ａは、例えば多孔質フィルムで構成されており、他方の層３２ｂは、例えば不織布で構成されている。透湿シート３２は、空気中の水分つまり湿気を透過可能となっている。なお、本体部３１内において、透湿シート３２は、例えば多孔質フィルムで構成される層３２ａを上側としてもよいし、例えば不織布で構成される層３２ｂを上側としてもよい。また、透湿シート３２は、２層構造のものに限られるものではなく、透湿性能を有するものであれば種々の構成のものを採用することができる。
【００１８】
また、透湿シートユニット３０の本体部３１の上下の両面には、ガラリ構造部３３が設けられている。ガラリ構造部３３は、本体部３１の長手方向に延びる、いわゆるガラリ形状の複数の孔を有しており、これにより、透湿シートユニット３０は、その上面側から下面側に、および、下面側から上面側に向かって通気可能な構成となっている。このガラリ構造部３３は、透湿シート３２の透湿性能を調整する透湿性能調整手段の一例として機能する。
【００１９】
即ち、このガラリ構造部３３に設けるガラリ形状の孔の数、位置、大きさなどを適宜変更して設計することにより、このガラリ構造部３３を介して流れる空気の量を調整することができる。ここで、ガラリ構造部３３を空気が通過しやすい構成にすれば、透湿シート３２を通過する空気の量も多くなり、その透湿性能を発揮しやすい状態を形成することができる。一方、ガラリ構造部３３を空気が通過しにくい構成にすれば、透湿シート３２を通過する空気の量も少なくなり、その透湿性能を発揮しにくい状態を形成することができる。
【００２０】
この場合、ガラリ構造部３３は、透湿シートユニット３０の本体部３１に一体的に設けられている。即ち、透湿性能調整手段の一例として機能するガラリ構造部３３が透湿シートユニット３０に直接的に設けられている構成となっている。
【００２１】
また、透湿シートユニット３０に備える透湿シート３２の面積は、野菜室１３内に貯蔵されている野菜などの貯蔵物からの水分蒸散量に基づいて選定するとよい。即ち、図４に例示するように、野菜室１３内に貯蔵されている貯蔵物の量が多量である場合、例えば、１４０Ｌの容量の野菜室１３内に１７００ｇの貯蔵物が貯蔵されている場合の貯蔵物からの水分蒸散量が符号Ｗａで示され、野菜室１３内に貯蔵されている貯蔵物の量が少量である場合、例えば、１４０Ｌの容量の野菜室１３内に６００ｇの貯蔵物が貯蔵されている場合の貯蔵物からの水分蒸散量が符号Ｗｂで示されるとする。
【００２２】
また、透湿シート３２の透湿性能つまり水分透過度が１０００ｇ／ｍ２・２４ｈであるとすると、透湿シート３２の面積を３００ｍｍ×２５ｍｍとした場合において１時間あたりに当該透湿シート３２を透過する水分透過量は、符号Ｓａで例示するように概ね０．３１ｇ、また、透湿シート３２の面積を３００ｍｍ×７５ｍｍとした場合において１時間あたりに当該透湿シート３２を透過する水分透過量は、符号Ｓｂで例示するように概ね０．９４ｇとなる。
【００２３】
この場合、上述のＷａで示される貯蔵物量が多量である場合における水分蒸散量の最大値は概ね１．８ｇ、最小値は概ね０．５ｇである。よって、野菜室１３内の貯蔵物が多量である場合には、水分蒸散量の最大値と最小値との間の透湿性能を発揮するように、透湿シート３２の面積を３００ｍｍ×７５ｍｍとすることが好ましい。
【００２４】
また、透湿シート３２の面積を一定とする場合には、好ましい透湿性能つまり水分透過度を有する透湿シート３２を選定するようにするとよい。即ち、透湿シート３２の面積を例えば３００ｍｍ×２５ｍｍで一定とする場合、水分透過度が１０００ｇ／ｍ２・２４ｈの透湿シート３２では、１時間あたりに当該透湿シート３２を透過するは０．３１ｇ、また、水分透過度が３０００ｇ／ｍ２・２４ｈの透湿シート３２では、１時間あたりに当該透湿シート３２を透過するは０．９４ｇとなる。
【００２５】
この場合、上述のＷａで示される貯蔵物量が多量である場合における水分蒸散量の最大値は概ね１．８ｇ、最小値は概ね０．５ｇである。よって、野菜室１３内の貯蔵物が多量である場合には、水分蒸散量の最大値と最小値との間の透湿性能を発揮するように、透湿シート３２は、水分透過度が３０００ｇ／ｍ２・２４ｈのものを使用することが好ましい。
【００２６】
次に、冷蔵庫１０による制御例について説明する。図５〜図７，図９，図１０に例示する制御装置４０は、例えばマイクロコンピュータを主体として構成されており、冷蔵庫１０の動作全般を制御する。制御装置４０は、制御プログラムを実行することにより湿度調整処理部４１をソフトウェアにより仮想的に実現する。なお、湿度調整処理部４１は、ハードウェアにより構成してもよいし、ソフトウェアとハードウェアの組み合わせにより構成してもよい。湿度調整処理部４１は、湿度調整手段の一例であり、ダンパ１６の開閉を制御することにより貯蔵室内、この場合、野菜室１３内の湿度を調整する。
【００２７】
図５に例示する構成例では、制御装置４０は、野菜室１３内の湿度に基づいてダンパ１６の開閉を制御する。即ち、制御装置４０には、野菜室１３内の湿度を検出する湿度センサ５０が接続されている。そして、制御装置４０は、湿度センサ５０により検出される野菜室１３内の湿度が所定の湿度判定用の閾値よりも高くなると、ダンパ１６を開く制御を行う。これにより、野菜室１３内に流れ込む低湿度の冷気の量が多くなり、野菜室１３内の湿度を下げることができる。なお、湿度判定用の閾値は、適宜変更して設定することができる。また、制御装置４０は、例えば、野菜室１３内の湿度と所定の湿度判定用の閾値との差が大きいほどダンパ１６の回動量つまり冷気供給口１５の開度を大きくするなど、ダンパ１６の回動量を適宜調整して制御を行うことができる。
【００２８】
図６に例示する構成例では、制御装置４０は、野菜室１３内の温度に基づいてダンパ１６の開閉を制御する。即ち、制御装置４０には、野菜室１３内の温度を検出する温度センサ６０が接続されている。そして、制御装置４０は、温度センサ６０により検出される野菜室１３内の温度が所定の温度判定用の閾値よりも高くなると、ダンパ１６を開く制御を行う。これにより、野菜室１３内に流れ込む低湿度の冷気の量が多くなり、野菜室１３内の湿度を下げることができる。なお、温度判定用の閾値は、適宜変更して設定することができる。また、制御装置４０は、例えば、野菜室１３内の温度と所定の温度判定用の閾値との差が大きいほどダンパ１６の回動量つまり冷気供給口１５の開度を大きくするなど、ダンパ１６の回動量を適宜調整して制御を行うことができる。
【００２９】
図７に例示する構成例では、制御装置４０は、野菜室１３内に貯蔵されている貯蔵物の重量に基づいてダンパ１６の開閉を制御する。即ち、制御装置４０には、野菜室１３内の貯蔵物量、この場合、重量を検出する重量センサ７０が接続されている。そして、制御装置４０は、重量センサ７０により検出される野菜室１３内の貯蔵物の重量が所定の重量判定用の閾値よりも高くなると、ダンパ１６を開く制御を行う。これにより、野菜室１３内に流れ込む低湿度の冷気の量が多くなり、野菜室１３内の湿度を下げることができる。なお、重量判定用の閾値は、適宜変更して設定することができる。また、制御装置４０は、例えば、野菜室１３内の貯蔵物の重量と所定の重量判定用の閾値との差が大きいほどダンパ１６の回動量つまり冷気供給口１５の開度を大きくするなど、ダンパ１６の回動量を適宜調整して制御を行うことができる。
【００３０】
重量センサ７０は、例えば野菜ケース１７の重量変化を直接的に検出する構成であってもよいし、野菜ケース１７の重量変化を間接的に検出する構成であってもよい。また、制御装置４０は、野菜室１３内の明るさを検出する明度センサを備え、野菜室１３内の明るさに基づいて貯蔵物量を推定するように構成してもよい。即ち、閉じられた状態の野菜室１３内を照明すると、貯蔵物が多いほど当該野菜室１３内は暗くなり、逆に、貯蔵物が少ないほど当該野菜室１３内は明るくなる。そのため、野菜室１３内の明るさに基づいて貯蔵物の量を推定することが可能であり、よって、冷蔵庫１０は、このような技術に基づき貯蔵物量を特定する構成としてもよい。
【００３１】
また、図８に例示するように、貯蔵物からの水分蒸散量は、貯蔵された直後においては高く、その後、保存期間の経過とともに水分蒸散量は減少していく。そのため、貯蔵物を貯蔵した直後においては、多量の水分が蒸散し、野菜室１３内の湿度が高くなりやすい。そのため、制御装置４０は、野菜室１３の野菜室扉１８が閉じられてから所定時間が経過するまでダンパ１６を開く制御を行うようにするとよい。これにより、野菜室１３内に流れ込む低湿度の冷気の量が多くなり、野菜室１３内の湿度を下げることができる。なお、ダンパ１６を開く制御を行う所定時間は、適宜変更して設定することができる。
【００３２】
また、制御装置４０は、例えば、野菜室扉１８が閉じられた直後はダンパ１６の回動量つまり冷気供給口１５の開度を大きくし、その後、時間の経過とともに徐々にダンパ１６を閉じていく制御を行うようにしてもよい。また、図９に例示するように、制御装置４０は、野菜室扉１８の開閉を検知する扉センサ８０を備える構成とすることにより、野菜室扉１８が閉じられたことを検知することができる。
【００３３】
図１０に例示する構成例では、制御装置４０は、制御プログラムを実行することによりヒータ出力調整処理部４２をソフトウェアにより仮想的に実現する。なお、ヒータ出力調整処理部４２は、ハードウェアにより構成してもよいし、ソフトウェアとハードウェアの組み合わせにより構成してもよい。ヒータ出力調整処理部４２は、ヒータ出力調整手段の一例であり、ヒータ１１ｂの出力を調整する。
【００３４】
本実施形態に係る冷蔵庫１０は、野菜室１３の下方に隣接して冷凍室１４を備える構成であることから、野菜室１３内、特に、野菜室１３内の下部が冷えやすい構成となっている。ヒータ１１ｂは、このように冷えやすい野菜室１３内の空気、特に下部の空気を温めるために備えられたものであり、このヒータ１１ｂが発生する熱により、野菜室１３内の特に下部において結露が発生することを抑えることができる。
【００３５】
そして、制御装置４０は、ダンパ１６により冷気供給口１５閉じられた場合あるいは冷気供給口１５の開度が所定値よりも低くなった場合には、ヒータ１１ｂの出力を下げる制御を行う。即ち、冷気供給口１５が閉じられた状態あるいは開度が低い状態においては、野菜室１３内に湿気が残りやすく、従って、この状態でヒータ１１ｂを駆動すると、野菜室１３内の下部での結露は抑えることができるものの、湿気が野菜室１３の上部に集まり、ユーザの目に入りやすい貯蔵物の上部において結露が発生してしまうおそれがある。そのため、冷気供給口１５が閉じられた状態あるいは開度が低い状態においてはヒータ１１ｂの出力を下げることにより、湿気が野菜室１３の上部に集まってしまうことを回避するようにするとよい。これにより、ユーザの目に入りやすい貯蔵物の上部において結露が発生してしまうことを防止することができる。
【００３６】
本実施形態に係る冷蔵庫１０によれば、ガラリ構造部３３の構成を適宜調整することにより、透湿シート３２の透湿性能を調整することができる。これにより、野菜室１３内における貯蔵物の貯蔵状態に応じて透湿シート３２の透湿性能を調整することができ、野菜室１３内の貯蔵物を結露させることなく良好に保存することができる。
【００３７】
また、冷蔵庫１０によれば、冷気供給口１５のダンパ１６の開閉を制御することにより野菜室１３内の湿度を調整することができる。この構成によれば、例えば野菜室１３内の湿度が高い場合には、ダンパ１６の開度を大きくして低湿度の冷気が流れ込むようにすることにより、結露の発生を一層抑えることができる。
【００３８】
また、冷蔵庫１０によれば、野菜室１３内の湿度が所定値よりも高い場合つまり結露が発生しやすい場合にダンパ１６を開くので、結露の発生を一層抑えることができる。
また、冷蔵庫１０によれば、野菜室１３内の貯蔵物からの水分蒸散量が所定値よりも高くなる条件が満たされている場合にダンパ１６を開く制御を行うことにより、結露の発生を一層抑えることができる。貯蔵物からの水分蒸散量が所定値よりも高くなる条件つまり、貯蔵物から水分が蒸散しやすい条件としては、例えば、野菜室１３内の温度が所定値よりも高い場合、野菜室１３内の貯蔵物量が所定量よりも多い場合、野菜室１３の野菜室扉１８が閉じられてから所定時間が経過するまでの間、などが考えられ、上述した実施形態によれば、これらの条件に対応して、ダンパ１６を開く制御を行うことができる。
【００３９】
また、冷蔵庫１０によれば、ダンパ１６により冷気供給口１５閉じられた場合あるいは冷気供給口１５の開度が所定値よりも低くなった場合には、ヒータ１１ｂの出力を下げる制御を行う。これにより、ユーザの目に入りやすい貯蔵物の上部において結露が発生してしまうことを回避することができる。
【００４０】
また、冷蔵庫１０によれば、透湿性能調整手段の一例として機能するガラリ構造部３３は、透湿シート３２を収容する透湿シートユニット３０に一体的に設けられている。この構成によれば、ガラリ構造部３３による透湿性能の調整機能が透湿シート３２に直接的に作用するため、透湿性能の調整を効果的に行うことができる。
【００４１】
なお、本実施形態は、上述した実施形態に限定されるものではなく、例えば次のように拡張または変形することができる。例えば、上述した制御系の構成例を適宜組み合わせて実施してもよい。
【００４２】
また、図１１に例示するように、透湿性能調整手段は、透湿シートユニット３０に設けられているスライド式のシャッター構造９０を有する構成としてもよい。シャッター構造９０は、透湿シートユニット３０の本体部３１とスライド部材９０ａとを備えている。本体部３１には複数の孔３１ｈが設けられている。一方、スライド部材９０ａは、本体部３１の内面においてスライド移動可能に設けられており、複数の孔９０ｂを有している。本体部３１の内面においてスライド部材９０ａがスライド移動することにより、孔３１ｈと孔９０ｂとの重なり度合が変化する。これにより、このシャッター構造９０を流れる空気の量を調整することができ、ひいては、本体部３１内の透湿シート３２を通過する空気の量、換言すれば、透湿シート３２の透湿性能を調整することができる。なお、スライド部材９０ａのスライド移動は、ユーザが手動により行う構成としてもよいし、制御装置４０が図示しないアクチュエータにより行う構成としてもよい。
【００４３】
また、図１２に例示するように、透湿性能調整手段は、透湿シートユニット３０に設けられている回動式のブラインド構造９５を有する構成としてもよい。ブラインド構造９５は、透湿シートユニット３０の本体部３１とブラインド部材９５ａとを備えている。本体部３１には複数の孔３１ｈが設けられている。一方、ブラインド部材９５ａは、本体部３１の孔３１ｈ内において回動可能に備えられている。ブラインド部材９５ａが回動することにより、孔３１ｈの開度が変化する。これにより、このブラインド構造９５を流れる空気の量を調整することができ、ひいては、本体部３１内の透湿シート３２を通過する空気の量、換言すれば、透湿シート３２の透湿性能を調整することができる。なお、ブラインド部材９５ａの回動は、ユーザが手動により行う構成としてもよいし、制御装置４０が図示しないアクチュエータにより行う構成としてもよい。
【００４４】
また、ダンパ１６は、野菜室１３内の冷気を排出する図示しない冷気排出口に設けてもよい。また、ダンパ１６は、冷気供給口１５および冷気排出口の双方に設ける構成としてもよい。即ち、ダンパ１６は、冷蔵庫１０内において冷気が流れる冷気経路であれば、適宜の部位に設けることができる。ダンパ１６を冷気供給口１５および冷気排出口の双方に設ける場合、冷気供給口１５におけるダンパ１６の開閉制御および冷気排出口におけるダンパ１６の開閉制御は、その内容や実行タイミングを異ならせてもよいし、同じとしてもよい。
【００４５】
本実施形態に係る冷蔵庫は、貯蔵室と、前記貯蔵室内に設けられる透湿部と、前記透湿部の透湿性能を調整する透湿性能調整手段と、を備える。この構成によれば、貯蔵室内における貯蔵物の貯蔵状態に応じて透湿部の透湿性能を調整することができ、貯蔵室内の貯蔵物を結露させることなく良好に保存することができる。
【００４６】
以上、本発明の一実施形態を説明したが、本実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。本実施形態やその変形は、発明の範囲や要旨に含まれるとともに、特許請求の範囲に記載された発明とその均等の範囲に含まれる。
【符号の説明】
【００４７】
図面中、１０は冷蔵庫、１３は野菜室（貯蔵室）、１１ｂはヒータ、１５は冷気供給口（冷気経路の一部）、１６はダンパ、３２は透湿シート（透湿部）、３３はガラリ構造部（透湿性能調整手段）、４１は湿度調整処理部（湿度調整手段）、４２はヒータ出力調整処理部（ヒータ出力調整手段）、９０はシャッター構造（透湿性能調整手段）、９５はブラインド構造（透湿性能調整手段）を示す。
【図１】
2018136039.tif 000003
【図２】
2018136039.tif 000004
【図３】
2018136039.tif 000005
【図４】
2018136039.tif 000006
【図５】
2018136039.tif 000007
【図６】
2018136039.tif 000008
【図７】
2018136039.tif 000009
【図８】
2018136039.tif 000010
【図９】
2018136039.tif 000011
【図１０】
2018136039.tif 000012
【図１１】
2018136039.tif 000013
【図１２】
2018136039.tif 000014